(57)【要約】【課題】本発明は、携帯端末での文字変換において日本語文字入力と同一の１つのモードでキーボードより数字、特殊記号を入力することにより、直接、英字、数字に変換する英数字変換装置及び英数字変換方法を提供することを目的とする。【解決手段】キーボードより清音、特定記号に対応する数字、または特殊記号を入力し、清音を英字に変換する清音変換手段と、濁音符、半濁音符及び他の特定記号毎に定義した変換を行う英数字変換手段を組み合わせて英数字変換を行い、英数字変換した文字列を先頭の文字より順次目的の文字に確定することにより、１つの入力モードで日本語、英字、数字に変換する。【選択図】  図２
2004258894.tif 000002
【特許請求の範囲】
【請求項１】
清音を表すキーボードの数字、及び特定記号を表すキーボードの数字または特殊記号の入力文字を入力し、清音と特定記号とにより英字に変換する変換方法であって、
清音を表す数字を入力し、英字に変換する第１のステップと、
清音を表す数字と濁音符を表す入力文字を入力し、清音を濁音が表す英字に変換する第２のステップと、
清音を表す数字と半濁音符を表す入力文字を入力し、清音を半濁音が表す英字に変換する第３のステップと、
第１の特定記号を表す入力文字を入力し、第１の特定記号が表す文字を英字「ｘ」に置換する第４のステップと、
第２の特定記号を表す入力文字を入力し、前記第１のステップ乃至第４のステップの少なくもいずれかのステップによる文字列の文字を、第２の特定記号で定義した英字に置換するステップを有することを特徴とする英字変換方法。
【請求項２】
請求項１記載の英字変換方法において、
第３の特定記号を表す入力文字を入力し、第３の特定記号が表す文字を第３の特定記号で定義した数字に置換するステップをさらに加えたことを特徴とする英数字変換方法。
【請求項３】
請求項２記載の英数字変換方法において、
前記文字列の文字に、前記第３の特定記号により置換した文字を加えた文字列とするステップをさらに加えたことを特徴とする英数字変換方法。
【請求項４】
請求項３記載の英数字変換方法において、
前記文字列の文字を、文字列の先頭の文字より順次目的の英数字に確定するステップをさらに加えたことを特徴とする英数字変換方法。
【請求項５】
清音を表すキーボードの数字、及び特定記号を表すキーボードの数字または特殊記号の入力文字を入力し、清音と特定記号とにより英字に変換する装置であって、
清音を英字に変換する第１の手段と、
清音を濁音が表す英字に変換する第２の手段と、
清音を半濁音が表す英字に変換する第３の手段と、
第１の特定記号が表す文字を英字「ｘ」に置換する第４の手段と、
前記第１の手段乃至第４の手段の少なくもいずれかの手段による文字列の文字を、第２の特定記号で定義した英字に置換する手段を備えたことを特徴とする
英数字変換装置。
【発明の詳細な説明】
【０００１】
【発明の属する技術分野】
本発明は、携帯電話、ＰＤＡ等の携帯端末での文字入力方式に係り、特に、携帯端末での文字変換において日本語文字入力と同一の１つのモードで数字、特定記号を入力することにより、直接、英字、数字に変換する英数字変換装置及び英数字変換方法に関する。
【０００２】
【従来の技術】
従来、携帯端末でメール通信を行う場合の通信情報として、ひら仮名、カタカナ、漢字日本語文字、英字、及び数字がある。これらの情報を入力するために、携帯端末キーボードには、少なくとも、入力文字の種類に対応して設定する入力文字設定キー、入力文字に対応する数字キー（１〜９、０）、特殊記号キー（＊、＃、→、←）、入力した文字を目的の文字に変換する変換キー、目的の文字を確定する確定キーを備えている。例えば、入力文字をひら仮名、カタカナ、漢字の日本語文字に変換する場合、ひら仮名入力モード（通常デフォルトとしてひら仮名入力モードを設定）を設定し、ひら仮名文字に対応する数字キー（１〜９、０）を押し、入力し、次に変換キーを押し、目的の文字（ひら仮名、カタカナ、漢字）を反転表示するまで変換キーを押し、その後、確定キーを押すことによりに目的の文字を確定する。英字に変換する場合、入力モードを英字入力モードに設定変更し、続いてひら仮名入力と同様に目的の英字に対応する数字キー（１〜９、０）変換キー、及び、確定キーを押し目的の英数字を確定する。
【０００３】
図１５は従来の携帯端末の入力文字キーと対応文字であり、日本語文字と英字、数字の例を示している。
携帯端末の場合、キーボードは物理的制約から、入力キーの数に制限があるため、図１５に示すように各入力数字キー（１〜９、０）に対し多くの文字を対応させている。このため、どの数字キーにどの文字が割り当てられているかを見つける事は難しい。特に、英字の場合入力数字キー（１〜９、０）がどの英字に割り当てられているかを直感的に探し出すことは困難である。又、日本語文字と英字、及び数字に対し、各々入力モードの設定替えを行う必要がある。
【０００４】
携帯端末では、このひら仮名入力モードから入力したひら仮名から直接英字に変換する課題への解決策は無いが、特許文献１の文書処理装置では、この解決策として、入力した仮名文字をローマ字に変換する方法として、ローマ字情報変換テーブルを用い、ひら仮名での入力に対し、ローマ字に直接変換する技術が開示されている。
【０００５】
【特許文献１】
特平開８−１１０９０５（第６ページ、図３）
【０００６】
【発明が解決しようとする課題】
通常、携帯端末でのメールは短い日本語によるメールがほとんどである。それらの文字としてはひら仮名、カタカナ、漢字に加え、英字、数字がある。又、近年、英字表示のままの名称、言葉も多く、英字表示の単語をカタカナ表示で代替する場合もあるが、本来の英字のままで表示したい場合が増えてきている。その際、その部分の入力のために入力モードをひら仮名入力モードから英字入力モードへの設定に変更するのは面倒であり、又、モードの設定変更を行っても、表示したい英字である目的の英字に対応する数字キーを探すことは困難を要する。
【０００７】
一方、ひら仮名文字から直接ローマ字表示を行う方法として、特許文献１の図３に示す方法によりひら仮名文字に対応したローマ字情報変換表により直接ローマ字に変換する方法がある。（図１４参照）しかしながら、特許文献１の方法ではローマ字変換モードへの設定変更の課題は解消されるが、ローマ字表示のための清音、濁音、半濁音、拗音等表示したい文字を全て変換テーブルとして準備する必要がある。更に、濁音、半濁音、拗音の他、「とっと」の「っ」と言ったつまる音、及び「ん」と言ったはねる音が混ざり合った単語の英字変換を行うために入力するひら仮名を表現することは難しく、又、目的のキーを探すことは大変な労力を必要とする。
【０００８】
又、近年多くなった英字表示の単語を表示したい場合、ローマ字を利用して英字で表示することは可能であるが、本来英字の言葉にはローマ字で表現できない綴りも多く、例えば、［ＮＥＷＹＯＲＫ］を英字のままで表示したい時は「ＮＥ」，「ＹＯ」を各々、「ね」、「よ」を入力することで対応できるが、「Ｗ、Ｒ、Ｋ」を表示するひら仮名文字を入力することはできない。又、英字に良く現れる「ｘ」の文字を表示することはできないため、英字入力モードへの設定変更が必要である。このように英字表示の単語を表示することは特許文献１の方法ではできない。
【０００９】
今後、携帯端末の拡大が予想される年配者にとっても簡易な文字入力の方法が望まれる。又、人々の交流が世界に広がることを考えると、世界各地の英字で表現可能な言葉である地名、名称等の単語をカタカナでは無く、本来の英字に変換したい事は増加することが考えられる。
本発明は、携帯型端末での文字変換において日本語文字入力と同一の１つのモードで入力した数字、特殊記号より、直接、英字、数字に変換する英数字変換装置及び英数字変換方法を提供することにある。
【００１０】
【課題を解決するための手段】
上記目的を達成する本発明は以下の通りである。
清音を表すキーボードの数字、及び特定記号を表すキーボードの数字または特殊記号の入力文字を入力し、清音と特定記号とにより英字に変換する変換方法であって、清音を表す数字を入力し、英字に変換する第１のステップと、清音を表す数字と濁音符を表す入力文字を入力し、清音を濁音が表す英字に変換する第２のステップと、清音を表す数字と半濁音符を表す入力文字を入力し、清音を半濁音が表す英字に変換する第３のステップと、第１の特定記号を表す入力文字を入力し、第１の特定記号が表す文字を英字「ｘ」に置換する第４のステップと、第２の特定記号を表す入力文字を入力し、前記第１のステップ乃至第４のステップの少なくもいずれかのステップによる文字列の文字を、第２の特定記号で定義した英字に置換するステップを有している。
【００１１】
本第１の発明により清音変換と特定記号で定義した変換の組み合わせにより、入力モードの設定替えを行うことなく入力文字を直接英字に変換できる。
さらに、第３の特定記号を表す入力文字を入力し、第３の特定記号が表す文字を第３の特定記号で定義した数字に置換するステップをさらに加える。
本第２の発明により清音変換と特定記号で定義した変換の組み合わせにより、入力モードの設定替えを行うことなく入力文字を直接英字に加え、数字を変換できる。
【００１２】
さらに、前記文字列の文字に、前記第３の特定記号により置換した文字を加えた文字列とするステップをさらに加える。
本第３の発明により、入力モードの設定替えを行うことなく、入力文字を機能が拡大した英字と数字に変換できる。
さらに、前記文字列の文字を、文字列の先頭の文字より順次目的の英数字に確定するステップをさらに加える。
【００１３】
本第４の発明により、清音と特定記号で定義した変換により入力モードの設定替えを行うことなく入力文字を直接英字、数字に変換した文字列の英字を文字毎に目的の大文字、または子文字に変換できる。
また、清音を表すキーボードの数字、及び特定記号を表すキーボードの数字または特殊記号の入力文字を入力し、清音と特定記号とにより英字に変換する装置であって、清音を英字に変換する第１の手段と、清音を濁音が表す英字に変換する第２の手段と、清音を半濁音が表す英字に変換する第３の手段と、第１の特定記号が表す文字を英字「ｘ」に置換する第４の手段と、前記第１の手段乃至第４の手段の少なくもいずれかの手段による文字列の文字を、第２の特定記号で定義した英字に置換する手段を備える。
【００１４】
本第５の発明により、清音と特定記号で定義した変換により、入力モードの設定替えを行うことなく入力文字を直接英字、数字に変換する英数字変換装置を提供できる。
【００１５】
【発明の実施の形態】
本発明の具体的な実施例について説明する前に、本発明によるキーボード（図６参照）から入力した数字、及び特殊記号により英数字変換を行う変換は下記のように分類できる。各々の変換の内容を説明する前に各々の言葉の説明を行う。１）清音変換：「あ」「か」等の清音を英字に変換する。
２）濁音変換：「が」、「だ」等の濁音を英字に変換する。
３）半濁音変換：「ぱ」「ぷ」等の半濁音を英字に変換する。
４）拗音変換：「ゃ」、「ぃ」、「ゅ」、「ぇ」、「ょ」などの仮名文字を小さく書き添える「きゃ」「しゅ」等の拗音を英字に変換する。
５）拡張変換１：「とっと」等のつまる音を表す文字を英字に変換する。
６）拡張変換２：「ｘ」、「ｙ」、「ｃ」などの英字単語の一部を英字に変換する。
７）数字変換：数字への変換を行う。
【００１６】
前述の７つの変換の内、清音変換は清音を清音と英字を対応させた清音変換表により行う。図９は本発明の一実施形態の清音変換表である。本方法は基本的には特許文献１の図３に相当する。しかしながら、清音に対し、特許文献１のような大文字１語ではなく、子文字、大文字と子文字の組み合わせ、及び、例えば、「ｋｕ」と「ｑｕ」、「ｓｉ」と「ｓｈｉ」、「ｈｕ」と「ｆｕ」、「ｒａ」と「ｌａ」の文字も表示可能とする複数の変換文字を備える。清音変換を基に、残りの濁音変換、半濁音変換、拗音変換、拡張変換１、拡張変換２、数字変換の６つの変換を行う本発明は、清音変換表と特定記号により定義した文字変換を組み合わせて行う。
【００１７】
入力する特殊記号としては「゛」、「゜」、「＊」、「＊＊」、「→」、「っ」、「＊→」を使う。特殊記号の入力は本実施例では次の方法により入力する。「＊」、「＊＊」、「→」、「＊→」の入力は各々の「＊」キー、「→」キーを単独、あるいは組み合わせで行う。「゛」、「゜」は数字キー「０」の各々４番目、５番目の語として確定する。「っ」は数字キー「４」のの６番目の語として確定する。
図７に本発明の一実施形態の英数字変換装置の入力文字キーと対応文字および対応特殊記号を示す。
【００１８】
先ず、清音変換について説明する。図９の清音変換表には「あ」行から「わ」行にいたる清音について変換後の英字候補を候補１〜から候補６まで格納する。清音変換は、例えば、「し」の場合、数字キー「３」を入力し、英字変換キーを２回押すと、変換表に従い、候補１の「ｓｉ」を反転表示し、「ｓｉ」が目的の文字の場合はこのまま確定キーを押すことにより表示装置には候補１の「ｓｉ」を表示し、変換が終了する。他の候補である「ＳＩ、Ｓｉ、ｓｈｉ、ＳＨＩ、Ｓｈｉ」の何れかが目的文字の場合には、候補２の「ＳＩ」から候補６の「Ｓｈｉ」を反転表示するまで、英字変換キーを順次押し、目的の文字を反転表示した所で、確定キーを押すことにより目的の英字を確定する。
【００１９】
次に、数字または、特殊記号による入力文字による特定記号による変換の定義を説明する。
１）特定記号の濁音符「゛」、半濁音符「゜」による変換
濁音変換、半濁音変換は以下の２つの方法で行う。
第１の方法は文字変換表形式による変換である。
【００２０】
「゛」：濁音変換を行う。「゛」の定義により、濁音変換表より、清音を濁音に変換した時の濁音を表す英字に変換する。キーボード入力は目的の清音に対応する数字＋「゛」＋英字変換キーの順に押す。図１０に示す本発明の一実施形態の濁音・半濁音変換表に従い清音を濁音に変換した候補文字を順次反転表示し、確定キーを押すことにより目的の英字を確定する。尚、ここで示す「＋」の表示は操作キー上でキー入力順として、
次に押すキーがあることを意味する。
【００２１】
「゜」：半濁音変換を行う。「゜」の定義により、半濁音変換表より、清音を半濁音に変換した時の半濁音を表す英字に変換する。キーボード入力は目的の清音に対応する数字＋「゜」＋英字変換キーの順に押す。図１０に示す本発明の一実施形態の濁音・半濁音変換表に従い清音を濁音に変換した候補文字を順次反転表示し、確定キーを押すことにより目的の英字を確定する。
【００２２】
第２の方法は文字置換形式による変換である。
「゛」：清音を濁音に変換したとき、元の清音の子音を、濁音に変換後の子音に置換する。例えば、「は」の濁音である「ば」の場合、「ｈａ」の「ｈ」を濁音「ｂａ」の「ｂ」に置換する。キーボード入力は、目的の清音に対応する数字＋「゛」＋英字変換キーの順に押す。「゛」の定義により、「ｈａ」の「ｈ」を「ｂ」に置換し、「ｂａ」を反転表示する。確定する手順は上記で述べた変換の手順と同一であるので省略する。
「゜」：清音を半濁音に変換したとき、元の清音の子音を、半濁音に変換後の子音に置換する。例えば、「は」の半濁音である「ぱ」の場合、「ｈａ」の「ｈ」を「ｐａ」の「ｐ」に置換する。入力手順は、目的の清音に対応する数字＋「゜」＋英字変換キーの順に押す。「゜」の定義により、清音変換表の「ｈａ」の「ｈ」を「ｐ」に置換し、「ｐａ」を反転表示する。確定する手順は上記で述べた変換の手順と同一であるので省略する。
【００２３】
尚、以下では分かり安くするため、入力する清音についてはキーボードの数字キーに対応する対応文字で入力文字を表す。
２）特定記号１「＊＊」による変換
「＊＊」：「＊＊」を英字「ｘ」に置換する。  例えば、「ほ」＋「゛」＋「＊」＋「＊」＋英字変換キーを押す。「ほ」＋「゛」による「ｂｏ」の次の文字として「＊＊」の機能による「ｘ」を追加し「ｂｏｘ」を反転表示する。確定する手順は上記で述べた変換の手順と同一であるので省略する。
【００２４】
３）特定記号２「＊」、「っ」による変換
「＊」：「＊」の直前の英字変換した清音、あるいは「゛」、「゜」機能による英字変換した濁音、あるいは半濁音の母音を削除する。例えば、「は」＋「゛」＋「＊」＋英字変換キーの順に押す。先ず、「゛」の定義により清音変換した「ｈａ」を「ｂａ」と置換後、「＊」の機能により「ｂａ」の「ａ」を省き、「ｂ」と反転表示する。確定する手順は上記で述べた変換の手順と同一であるので省略する。
「っ」：「っ」は直後に続く文字の子音を繰り返す。例えば、「さ」＋「っ」＋「ほ」＋「゜」＋「ろ」＋英字変換キーの入力に対し、「ｓａ」の次の「ほ」＋「゜」により定まる「ｐｏ」の子音である「ｐ」を繰り返し「ｐｐｏ」に置換し、「ろ」の英字変換と併せて、「ｓａｐｐｏｒｏ」と反転表示する。確定する手順は上記で述べた変換の手順と同一であるので省略する。
３）特定記号３「空白文字」、「＊空白文字」による変換
「空白文字」：キーボードの特殊記号「→」で入力した「空白文字」を数字に変換する。「→」＋英字変換キーの順に押すことにより、図１１に示す本発明の一実施形態の数字変換表に従い、１〜９、０の候補数字を順次反  転表示する。確定する手順は上記で述べた変換の手順と同一であるので  省略する。
「＊空白文字」：「→」入力による「空白文字」から変換した数字を連続して表示する。キーボード入力は「＊→・・→」である。「・・」は「→」が続くことを示し、この数により目的数字の連続表示個数を決める。例えば、「１１１」に変換したい場合、「＊→→→」＋英字変換キーの入力に対し、「→」による「空白文字」の定義により「１」を反転表示し、「＊」と残りの「空白文字」２ケにより「１１１」を表示する。又、「２２２」の場合は同じ「＊→→→」＋英字変換キーの入力し、「空白文字」により「１」を反転表示後、英字変換キーを押すことにより「２」を表示後「＊」と残りの「空白文字」の数により「２２２」に変換する。
【００２５】
以上定義した特定記号に文字変換と清音変換表により、上述した清音変換、濁音変換、半濁音変換、拗音変換、拡張変換１、拡張変換２、数字変換を行う。
以上述べた濁音符、半濁音符、特定記号１、特定記号２、特定記号３による変換の定義をまとめて図８に本発明の一実施形態の特定記号機能表として示す。
【００２６】
図１は本発明の一実施形態の英数字変換装置のシステム構成図である。図１に示すシステム構成図において、各々のシステム構成手段を制御して入力文字を英数字に変換する中央演算装置ＣＰＵ１０、文字入力を行う入力キーボード２０、入力文字、及び英数字変換後の文字を表示する表示画面（ディスプレイ）３０、入力文字を清音変換、及び入力文字を濁音符、半濁音符、及び特定記号１、特定記号２、特定記号３により定義した英数字に変換する英数字変換手段４０で構成する。
【００２７】
入力キーボード２０は清音、および特定記号に対応する数字、特殊記号を構成する入力文字キー２１、及びメモリーに一時的に格納され、表示画面に表示される候補文字を選択するため変換キーとして日本語変換キー２２、英字変換キー２３、及び目的の候補文字を確定するための確定キー２４で構成する。日本語変換キーは数字キーにより入力した日本語をひら仮名文字、カタカナ、漢字に変換するキーである。
【００２８】
英数字変換手段４０は、清音変換表、濁音・半濁音変換表、数字変換表を記憶する変換テーブル４１、入力文字及び清音変換、及び濁音符、半濁音符、特定記号１、特定記号２、特定記号３により変換した文字を一時的に格納する記憶装置（メモリー）４２で構成する。
図１のシステム構成により前述の基本原理を元に１つ入力モードである日本語入力モードのまま、日本語文字変換と英字変換、数字変換を行う本発明の実施手順について説明する。
１）本発明の実施形態１の実施手順
実施形態１は清音変換と「＊」、「＊＊」、「っ」で定義した変換により行い、「゛」、「゜」は第１の方法である文字変換表形式で行う。「空白文字」の変換は「→」による方法に基づいて英数字変換を行う場合である。
【００２９】
図２は本発明の実施形態１の英数字変換のシーケンスフローである。シーケンスフローに沿って説明する。
（１）キーボードより、数字、特殊記号を入力し（Ｓ１）、Ｓ２で入力した文字
をテンポラリー配列に蓄える。
（２）英字変換キーを押す（Ｓ３）ことにより次の内部処理を行う。
（３）Ｓ４で配列内に「゛」、「゜」が存在するか否か確認し、「゛」、「゜」が存在する場合はＳ５に進み、「゛」、「゜」が存在しない場合はＳ６に進む。
（４）Ｓ５で入力文字と「゛」、「゜」の組み合わせが可能であるか否かを確認し、組み合わせが可能であればＳ７に進む。エラー入力により無効の「゛」、「゜」がある場合はＳ１５に進み無効な「゛」、「゜」を削除する。
（５）Ｓ６で清音変換表、濁音・半濁音変換表、数字変換表の変換表に基づく英数字変換を行う。又、特定記号「っ」の定義に従い、直後に続く子音を繰り返す。
（６）Ｓ７で英数字変換された配列内に「＊」が存在しない場合はＳ１０に進み、候補文字列を反転表示する。「＊」が存在する場合はＳ８に進む。
（７）Ｓ８で連続した「＊」の固まり毎に次の文字置換を行う。連続して奇数個存在する場合、最初の「＊」を残し、残りの偶数個の「＊＊・・＊＊」を「＊＊」の定義に従い、「＊＊」毎に１ケの「ｘ」に置換する。一方、連続して偶数個存在する場合は、偶数個の「＊＊・・＊＊」を「＊＊」の定義に従い、「＊＊」毎に１ケの「ｘ」に置換する。間に文字を挟んで「＊」が連続して存在する場合は各々の連続した固まり毎に「＊」の数に対応して前述の置換を行い、Ｓ９に進む。
（８）Ｓ９で「＊」の前に存在する文字の母音を削除して子音のみ残し、母音を削除した処理に使った「＊」は削除する。文字列の別の位置に「＊」が存在する場合は、全ての「＊」を削除するまで、一つの「＊」に対し、母音削除、「＊」削除の処理を行い、Ｓ１０に進む。
（９）Ｓ１０で候補文字列をキーボードに反転表示する。Ｓ１０で反転表示の文字列の全ての文字が目的の文字である場合はＳ１３に進み、確定キーを押し、次に入力する文字があれば、Ｓ１に戻る。次に入力する文字が無い場合は終了する。反転文字列の中に目的の文字でない文字が存在する場合はＳ１２に進む。
（１０）Ｓ１２では文字列の先頭文字から順次目的の文字を確定する。確定は次の２つの方法で行う。濁音符、半濁音符、特定記号１、特定記号２、特定記号３により変換した文字の確定は下記２つの方法のいずれか１つを選択する。
（１１）イ．清音変換、濁音符、半濁音符による変換は方法１による変換、特定記号１、特定記号２、特定記号３による変換については変換した単位毎、即ち、変換した文字毎に確定を行う。手順は今まで述べた変換手順と基本的に同一である。
【００３０】
例えば、「さ」＋「っ」＋「ほ」＋「゜」＋「ろ」＋英字変換キーの入力による１番目の候補である「ｓａｐｐｏｒｏ」反転表示の文字列の内の「ｐｐｏ」について説明する。「ｓａ」を例えば、変換単位である「ＳＡ」と確定後、次の「ｐｐｏ」については、「っ」の定義により最初の「ｐ」を変換単位の１文字で変換し、例えば、「Ｐ」を確定後、「゜」の機能による「ｐｏ」を変換単位の１語で「ＰＯ」を確定する。
【００３１】
ロ．濁音符、半濁音符による変換は方法２による変換、特定記号１、特定記号３による変換については変換した単位毎、特定記号２による変換については変換した１文字毎に確定を行う。「ｓａｐｐｏｒｏ」の例の場合、「ｐｐｏ」を  １文字毎「ｐ」、「ｐ」、［ｏ］が変換の単位となる。即ち、英字変換キーを押すことにより小文字から、大文字の順に１文字毎、候補文字を反転表示する。目的の文字を反転表示した時に確定キーにより目的文字を確定する。
（１２）Ｓ１２の処理により、文字列の全ての文字を確定キーにより確定し、Ｓ１４に進む。
（１３）日本語文字への変換の場合は文字入力後、Ｓ１６に進み、入力した数字、特殊記号文字より日本語変換キーにより目的の日本語を確定する。日本語文字の変換については従来からの方法による各端末の変換方法に従い変換を行う。
【００３２】
上述のシーケンスフローに述べたようにキーボードから入力した数字、及び特殊記号により、日本語変換と英字変換、数字変換を行うことができる。
次に図２のシーケンスフローに従い変換した変換例を図１２に示す。
例１は「Ｓｕｇｉｙａｍａ」と表示する場合である。ひら仮名入力として「す＋き＋゛＋や＋ま」を入力する。（４）の処理により変換表より候補の１番目として「ｓｕｇｉｙａｍａ」を反転表示する。次に先頭の「ｓｕ」は（１１）のイの方法として図９の変換表より「ｓｕ」を「Ｓｕ」に変換し確定する。（１２）の手順により目的の「Ｓｕｇｉｙａｍａ」に変換する。
【００３３】
例２の「ＳＡＰＰＯＲＯ」の例では（１１）のロの方法で述べた「ＳＡＰＰＯ」を確定後、「ＲＯ」を確定することにより目的の「ＳＡＰＰＯＲＯ」を変換する。例３、例４に他の例を示す。説明は省略する。
２）本発明の実施形態２の実施手順
実施形態２は清音変換と「＊」、「＊＊」、「っ」で定義した機能により行い、「゛」、「゜」は第２の方法である文字置換形式で行う。「空白文字」は「→」による方法に基づいて数字変換を行う場合である。
【００３４】
図３は本発明の実施形態２の英数字変換のシーケンスフローである。シーケンスフローは図２と同一の処理を行うステップは同一のステップ番号を付ける。異なるステップであるＳ１７、Ｓ１８について各々説明する。
（１４）Ｓ１７で入力した清音、「→」について図９の清音変換表、図１１の数字変換表に基づき１番目の候補文字を選択する。
（１５）Ｓ１８で「゛」、「゜」、「っ」の定義に基づく次の置換を行う。「っ」については上述の（５）で述べた置換と同一である。「゛」、「゜」については第２の方法による置換である。例えば、「゛」については「は行」については、「゛」の機能として、「は行」の濁音「ば行」の英字表示として「ｈ」を「ｂ」に置換して表示し、「゜」の場合は、「は行」の半濁音「ぱ行」の英字表示として「ｈ」を「ｐ」に置換する。同様にして他の濁音である「か行」、「さ行」、「た行」については各々「ｋ」を「ｇ」に、「ｓ」を「ｚ」に、「ｔ」を「ｄ」に置換して表示する。図２のシーケンスフローと同一である他のステップの説明は省略する。本実施例基づく変換例を図１３に示す。図１２の例とは異なる機能である「゛」、「゜」を使用した例の例１、例２、例３に  ついて説明する。第１の例１では第１の候補として「ｓｕｇｉｙａｍａ」を反  転表示し、「Ｓｕ」の確定により「Ｓｕｇｉｙａｍａ」が確定する。例えば、  「ｇｉ」ではなく、他の表示である「ＧＩ」を目的表示したい場合の第２の方  法は、「Ｇ」を確定した後、英字変換キーを押すことにより次の「Ｉ」を確定  すれば良い。例２、例３でも同様であるので説明は省略する。
【００３５】
実施形態１、実施形態２では、数字変換を「→」による「空白文字」の定義に基づいた変換例を説明した。次に「＊→・・→」による変換の実施形態について説明する。
３）本発明の実施形態３の実施手順
実施形態３は、清音変換と「＊」、「＊＊」、「っ」で定義した機能により行い、「゛」、「゜」は第１の方法である文字変換表形式で行う。「空白文字」は「＊→・・→」による方法に基づいて数字変換を行う場合である。即ち、実施形態１の「空白文字」は「→」を「＊・・→」に替えて行う場合である。
【００３６】
図４は本発明の実施形態３の英数字変換のシーケンスフローである。シーケンスフローは図２、と同一の処理を行うステップは同一のステップ番号を付ける。図４において図２と異なるステップはＳ１９とＳ２０である。
（１６）Ｓ１９でＳ２０での「→」による空白文字の処理を行うための判断として「空白文字」があるかを確認する。Ｓ２０では「空白文字」を数字に変換するため、英字変換キーを押し、目的の数字候補を反転表示し、確定キーにより目的の数字を確定後、「空白文字」の前に存在する「＊」を削除し、Ｓ７に進む。
４）本発明の実施形態４の実施手順
実施形態４は清音変換と「＊」、「＊＊」、「っ」で定義した機能により行い、「゛」、「゜」は第２の方法である文字置換形式で行う。「空白文字」は「＊→・・→」による方法に基づいて英字変換を行う場合である。即ち、実施形態２の「空白文字」は「→」を「＊・・→」に替えて行う場合である。
【００３７】
図５は本発明の実施形態４の英数字変換のシーケンスフローである。シーケンスフローは図２と同一の処理を行うステップは同一のステップ番号を付ける。図５において図２と異なるステップはＳ１７、Ｓ１８、Ｓ１９及びＳ２０である。処理内容の説明済であり、省略する
（付記１）    清音を表すキーボードの数字、及び特定記号を表すキーボードの数字または特殊記号の入力文字を入力し、清音と特定記号とにより英字に変換する変換方法であって、
清音を表す数字を入力し、英字に変換する第１のステップと、
清音を表す数字と濁音符を表す入力文字を入力し、清音を濁音が表す英字に変換する第２のステップと、
清音を表す数字と半濁音符を表す入力文字を入力し、清音を半濁音が表す英字に変換する第３のステップと、
第１の特定記号を表す入力文字を入力し、第１の特定記号が表す文字を英字「ｘ」に置換する第４のステップと、
第２の特定記号を表す入力文字を入力し、前記第１のステップ乃至第４のステップの少なくもいずれかのステップによる文字列の文字を、第２の特定記号で定義した英字に置換するステップを有することを特徴とする英字変換方法。
【００３８】
（付記２）  付記１記載の英字変換方法において、
第３の特定記号を表す入力文字を入力し、第３の特定記号が表す文字を第３の特定記号で定義した数字に置換するステップをさらに加えたことを特徴とする英数字変換方法。
（付記３）  付記２記載の英数字変換方法において、
前記文字列の文字に、前記第３の特定記号により置換した文字を加えた文字列とするステップをさらに加えたことを特徴とする英数字変換方法。
【００３９】
（付記４）  付記３記載の英数字変換方法において、
前記文字列の文字を、文字列の先頭の文字より順次目的の英数字に確定するステップをさらに加えたことを特徴とする英数字変換方法。
（付記５）    清音を表すキーボードの数字、及び特定記号を表すキーボードの数字または特殊記号の入力文字を入力し、清音と特定記号とにより英字に変換する装置であって、
清音を英字に変換する第１の手段と、
清音を濁音が表す英字に変換する第２の手段と、
清音を半濁音が表す英字に変換する第３の手段と、
第１の特定記号が表す文字を英字「ｘ」に置換する第４の手段と、
前記第１の手段乃至第４の手段の少なくもいずれかの手段による文字列の文字を、第２の特定記号で定義した英字に置換する手段を備えたことを特徴とする英数字変換装置。
【００４０】
（付記６）  付記１記載の英字変換方法において、
第１の特定記号を表す入力文字を入力し、第１の特定記号が表す文字を英字「ｘ」に置換する第４のステップを除いたステップを有することを特徴とする付記４記載の英数字変換方法。
（付記７）  付記２１記載の前記第２の特定記号で定義した英字に置換するステップは、
前記第２の特定記号の直前の文字の母音を削除するステップであることを特徴とする付記４記載の英字変換方法。
【００４１】
（付記８）  付記１記載の第２の特定記号で定義した英字に置換するステップは、
第２の特定記号の直後の英字の子音を繰り返すステップであることを特徴とする付記４記載の英数字変換方法。
（付記９）  付記２記載の第３の特定記号で定義した数字に置換するするステップは、
空白文字を、数字に変換するステップであることを特徴とする付記４記載の数字変換方法。
【００４２】
（付記１０）  付記２記載の第２の特定記号で定義した数字に置換するステップは、
空白文字を複数個の数字に変換するステップであることを特徴とする付記４記載の数字変換方法。
（付記１１）  付記４記載の前記文字列の文字を、文字列の先頭の文字より順次目的の英数字に確定するステップは、
英字変換した清音毎、英字変換した濁音毎、英字変換した半濁音毎、前記第３の特定記号により変換した数字毎、前記第２の特定記号により変換した英字毎に確定するステップであることを特徴とする付記４記載の英数字変換方法。
【００４３】
（付記１２）        付記４記載の文字列の文字を、文字列の先頭の文字より順次目的の英数字に確定するステップは、
英字変換した清音毎、英字変換した濁音毎、英字変換した半濁音毎、前記第３の特定記号により変換した数字毎、前記第２の特定記号により変換した英字は１文字毎に確定するステップであることを特徴とする付記４記載の英数字変換方法。
【００４４】
（付記１３）  付記５記載の英数字変換装置において、入力文字を第３の特定記号で定義した数字に置換する手段をさらに加えたことを特徴とする英数字変換装置。
【００４５】
【発明の効果】
本発明は、携帯電話、ＰＤＡ等の携帯端末を使用したメールにおいて日本語入力と同一の１つのモードで入力した数字、及び特殊記号から直接、英字、数字に変換できる携帯端末における英数字変換方法及び英数字装置を提供できる。
更に、英数字変換はローマ字表示では表現できない英字で表現可能な外国語の単語を日本語変換と同一入力モードで変換できる英数字変換方法を提供できる。
【図面の簡単な説明】
【図１】本発明の一実施形態の英数字変換装置のシステム構成図
【図２】本発明の実施形態１の英数字変換のシーケンスフロー
【図３】本発明の実施形態２の英数字変換のシーケンスフロー
【図４】本発明の実施形態３の英数字変換のシーケンスフロー
【図５】本発明の実施形態４の英数字変換のシーケンスフロー
【図６】本発明の一実施形態の英数字変換装置のキーボード
【図７】本発明の一実施形態の英数字変換装置の入力文字キーと対応文字および対応特殊記号
【図８】本発明の一実施形態の特定記号機能表
【図９】本発明の一実施形態の清音変換表
【図１０】本発明の一実施形態の濁音・半濁音変換表
【図１１】本発明の一実施形態の数字変換表
【図１２】本発明の一実施形態の変換例１
【図１３】本発明の一実施形態の変換例２
【図１４】従来のひら仮名、ローマ字変換の例（引用文献：特開平８−１１０９０５  図３）
【図１５】従来の携帯端末の入力文字キーと対応文字
【図１】
2004258894.tif 000003
【図２】
2004258894.tif 000004
【図３】
2004258894.tif 000005
【図４】
2004258894.tif 000006
【図５】
2004258894.tif 000007
【図６】
2004258894.tif 000008
【図７】
2004258894.tif 000009
【図８】
2004258894.tif 000010
【図９】
2004258894.tif 000011
【図１０】
2004258894.tif 000012
【図１１】
2004258894.tif 000013
【図１２】
2004258894.tif 000014
【図１３】
2004258894.tif 000015
【図１４】
2004258894.tif 000016
【図１５】
2004258894.tif 000017